(57)【要約】【課題】搬入容易性及び省スペース収納性を確保しつつ、手持の物を置くことが可能な引出付椅子を提供する。【解決手段】前方左脚２ａ、前方右脚２ｂ、後方左脚、及び後方右脚からなる脚部２と、着座マット３ａと、背もたれ４に接続される座枠３ｂからなる着座部３と、背もたれ４と、引き出して使用され使用後に元の位置に戻される引出５ａ、前方左脚２ａと後方左脚２ｃとの間に張設された左方幕板５ｂ、前方右脚２ｂと後方右脚２ｄとの間に張設された右方幕板５ｃ、前方左脚２ａと前方右脚２ｂとの間に張設された前方幕板５ｄ、及び、後方左脚２ｃと後方右脚２ｄとの間に張設された後方幕板を有する引出アッセンブリ５とを備え、引出５ａの前端上部に固定される上記の受金物と、前方幕板５ｄの内側の面に固定される差込金物とからなる可動固定部材とによって、引出５ａが可動に固定される構成を有している。【選択図】図１
0003128739.tif 000002
【実用新案登録請求の範囲】
【請求項１】
上下方向に積み重ねることができると共に、着座部の下に引き出し可能な引出が設けられていることを特徴とする引出付椅子。
【請求項２】
前記引出が、背部側に引き出されることを特徴とする請求項１に記載の引出付椅子。
【請求項３】
前記引出を可動に固定するための可動固定部材を有することを特徴とする請求項１又は請求項２に記載の引出付椅子。
【考案の詳細な説明】
【技術分野】
【０００１】
本考案は、会合、集会、祭事、葬儀等で使用する引出付椅子に関する。
【背景技術】
【０００２】
長時間、多数の人が集まる場合、会場に椅子が持ち込まれ、解散と共に元の収納場所等への片づけが行われる。そのため、従来、会合、集会、祭事、葬儀等での使用が便利な椅子として、パイプ椅子等がしばしば用いられる（例えば、特許文献１参照。）。このような椅子は、集合住宅内での打合せ、祭事場での待ち合わせ等の、種々の目的の集会に使用される。
【特許文献１】特開２００５−３４９０５３号公報
【考案の開示】
【考案が解決しようとする課題】
【０００３】
しかしながら、従来の集会等で用いられる椅子では、搬入容易性及び省スペース収納性を確保する必要によって構成が簡素であるため、使用者が持っている物を置く場所が無いという問題を有していた。具体的には、会合、集会、祭事、葬儀等で、椅子の使用者が、バッグ、身の回りの物、グラス、焼香箱等の持ち物を置くことができないという問題があった。
【０００４】
以上の現状に鑑み、本考案の目的は、搬入容易性及び省スペース収納性を確保しつつ、手持の物を置くことが可能な引出付椅子を提供する。
【課題を解決するための手段】
【０００５】
上記の課題を解決すべく、本考案は以下の構成を提供する。
請求項１に係る考案は、上下方向に積み重ねることができると共に、着座部の下に引き出し可能な引出が設けられていることを特徴とする。
【０００６】
請求項２に係る考案は、請求項１に記載の引出付椅子において、引出が、背部側に引き出されることを特徴とする。
【０００７】
請求項３に係る考案は、請求項１又は請求項２に記載の引出付椅子において、引出を可動に固定するための可動固定部材を有することを特徴とする。
【考案の効果】
【０００８】
請求項１に係る考案によれば、上下方向に積み重ねることができると共に、着座部の下に引き出し可能な引出が設けられているため、搬入容易性及び省スペース収納性を確保しつつ、手持の物を置くことが可能な引出付椅子を実現することができる。
【０００９】
請求項２に係る考案によれば、上記請求項１の効果に加えて、引出が、背部側に引き出されるため、後ろに座る人が、椅子の背面下部に組み込まれた引出を引き出すことによって、グラス、小物、焼香箱などを置くことができる。
【００１０】
請求項３に係る考案によれば、上記請求項１又は請求項２の効果に加えて、引出を可動に固定するための可動固定部材を有するため、収納位置等で滑らないように固定することができる。
【考案を実施するための最良の形態】
【００１１】
以下、実施例を示した図面を参照しつつ本考案の実施の形態について説明する。
図１〜図４は、それぞれ、本考案による引出付椅子の一実施例を模式的に示す、正面図（図１）、背面図（図２）、平面図（図３）、及び右側面図（図４）である。引出付椅子１は、図１〜図４に示すように、脚部２と、着座部３と、背もたれ４と、引出アッセンブリ５とを備える。
【００１２】
脚部２は、図１及び図２に示すように、前方左脚２ａ、前方右脚２ｂ、後方左脚２ｃ、及び後方右脚２ｄから構成される。脚部２の各脚２ａ〜２ｄは、例えば、木材、金属等からなる、丸棒状、角材状等の部材によって形成される。各脚２ａ〜２ｄが金属からなる場合、例えば、中空にする等の軽量化が図られるのは好ましい。
【００１３】
着座部３は、着座マット３ａと、背もたれ４に接続される座枠３ｂから構成される。着座マット３ａ、例えば、内部に柔らかい合成樹脂を有し、表面が丈夫な合成樹脂等からなり、座枠３ｂの上部表面に固定されている。脚部２の各脚２ａ〜２ｄは、座枠３ｂの底面側に強固に固定され荷重を支えることが可能になっていると共に、引出付椅子１を重ねることができるように床側に向けて広がるように取り付けられている。
【００１４】
背もたれ４は、着座マット３ｂの背部側の端に起立連設され、例えば、木材、合成樹脂、金属等からなる。背もたれ４の形成に用いる合成樹脂としては、例えば、ポリカーボネート樹脂等の高い強度を有するものが好ましい。また、合成樹脂を用いることによって、軽量化、及び座枠との一体化が可能なため、好ましい。さらに、背もたれ４は、例えば上部の１０ｃｍ幅及び周囲等の一部を占め、必ずしも全面を占める必要はない。
【００１５】
引出アッセンブリ５は、引き出して使用され使用後に元の位置に戻される引出５ａ、前方左脚２ａと後方左脚２ｃとの間に張設された左方幕板５ｂ、前方右脚２ｂと後方右脚２ｄとの間に張設された右方幕板５ｃ、前方左脚２ａと前方右脚２ｂとの間に張設された前方幕板５ｄ、及び、後方左脚２ｃと後方右脚２ｄとの間に張設された後方幕板５ｅを有する。
【００１６】
引出５ａは、図３及び図４から分かるように、例えば、平面方形の板状部材５ａ１と、板状部材５ａ１の後端に添着された細幅板からなる把手５ａ２と、板状部材５ａ１を可動に固定する後述の可動固定部材の受金物５ａ３とを有し、同図に矢印等で示すように、引出付椅子１の後方部に引き出せるようになっている。
【００１７】
図５は、図３に示すＢ−Ｂ線での断面図である。左方幕板５ｂ及び右方幕板５ｃは、引出５ａが後部に引き出し可能になるように、左方幕板５ｂの内側となる面に、板５ａ１と遊嵌するコ字状の溝５ｂ１が刻設されている。右方幕板５ｃについても、左方幕板５ｂと同様に、板５ａ１と遊嵌するコ字状の溝が刻設されている。また、後方幕板５ｅは、下端が引出５ａの後端と接するように、又は後端の上方に近接するように構成されている。
【００１８】
図６及び図７は、図１に示すＡ−Ａ線での断面図であり、それぞれ、引出５ａを収めた状態、及び引出５ａを引いた状態を示す。可動固定部材５ａ３、５ａ４は、図６の円内の拡大図に示すように、引出５ａの前端上部に固定される上記の受金物５ａ３と、前方幕板５ｄの内側の面に固定される差込金物５ａ４とからなる。受金物５ａ３と差込金物５ａ４とは、機械的、磁気的に、又はその他の方法で着脱可能に連結されるようになっている。
【００１９】
可動固定部材５ａ３、５ａ４として、例えば、所謂、ロールキャッチ、マグネット式連結金物等を用いるのでもよい。引出５ａを収納した場合、可動固定部材５ａ３、５ａ４がストッパーとして機能するため、運搬時に椅子を傾けても引出５ａが滑って移動することを防止でき、好ましい。また、受金物５ａ３は、図７に示すように、後方幕板５ｅに当接してストッパーとして機能し、引出５ａが抜け落ちることを防止でき、好ましい。
【００２０】
図８は、本考案による引出付椅子を積み上げた状態を説明する右側面図である。引出付椅子１は、各脚２ａ〜２ｄが平行になるように、例えば、着座マット３ａの上面と、座枠３ｂの下面とが接触して、略上方に積み上げられる。
【００２１】
なお、上記では、引出５ａが引出付椅子１の背部側に引き出される構成について説明したが、引出５ａがその他の方向に引き出されるように引出付椅子１が構成されるのでもよい。また、左方幕板５ｂ及び右方幕板５ｃは、板状に構成される以外に、同様の溝を有するレール状の部材を用いて構成されるのでもよい。さらに、幕板５ｃ、５ｄは、１本以上の細い幅木からなるのでもよい。
【図面の簡単な説明】
【００２２】
【図１】本考案による引出付椅子の一実施例を模式的に示す正面図である。
【図２】図１に示す引出付椅子の背面図である。
【図３】図１に示す引出付椅子の平面図である。
【図４】図１に示す引出付椅子の右側面図である。
【図５】図３に示すＢ−Ｂ線での断面図である。
【図６】図１に示すＡ−Ａ線での断面図である。
【図７】引出を引いた状態におけるＡ−Ａ線での断面図である。
【図８】本考案による引出付椅子を積み上げた状態を説明する右側面図である。
【符号の説明】
【００２３】
１  引出付椅子
２  脚部
２ａ〜２ｄ  脚
３  着座部
３ａ  着座マット
３ｂ  座枠
４  背もたれ
５  引出アッセンブリ
５ａ  引出
５ａ１  板状部材
５ａ２  把手
５ａ３  可動固定部材（受金物）
５ａ４  可動固定部材（差込金物）
５ｂ  左方幕板
５ｂ１  溝
５ｃ  右方幕板
５ｄ  前方幕板
５ｅ  後方幕板
【図１】
0003128739.tif 000003
【図２】
0003128739.tif 000004
【図３】
0003128739.tif 000005
【図４】
0003128739.tif 000006
【図５】
0003128739.tif 000007
【図６】
0003128739.tif 000008
【図７】
0003128739.tif 000009
【図８】
0003128739.tif 000010